(57)【要約】【課題】ペットボトルや注出口付切妻屋根型液体紙容器の注出口部を形成するネジ式蓋の廻動開栓操作およびその注出筒内の薄肉成型による開封部を持つ封鎖面部に突設した支持棹と連設するプルリングの牽引開封操作を補助するための合成樹脂製開栓補助具を提供する。【解決手段】注出筒と該注出筒内の薄肉成型による開封部を持つ封鎖面部に突設した支持棹と連設するプルリングを有し容器口部に取り付けられる注出部本体と、注出筒の外面に螺合されるキャップとからなる注出具を開栓する開栓補助具であって、キャップの外周面に当接し且つ挟持するＣ字状のキャップ挟持部と、該キャップ挟持部外縁の中央部に外方へ突出し前記プルリングに引っ掛けて前記封鎖面部を開封するための鉤状牽引具とを具有することを特徴とする合成樹脂製開栓補助具。【選択図】        図１
2004338763.tif 000002
【特許請求の範囲】
【請求項１】
注出筒と該注出筒内の薄肉成型による開封部を持つ封鎖面部に突設した支持棹と連設するプルリングを有し容器口部に取り付けられる注出部本体と、注出筒の外面に螺合されるキャップとからなる注出具を開栓する開栓補助具であって、キャップの外周面に当接し且つ挟持するＣ字状のキャップ挟持部と、該キャップ挟持部外縁の中央部に外方へ突出し前記プルリングに引っ掛けて前記封鎖面部を開封するための鉤状牽引具とを具有することを特徴とする合成樹脂製開栓補助具。
【請求項２】
前記キャップ挟持部内縁にエラストマー樹脂を一体に成形または接合してなることを特徴とする請求項１記載の合成樹脂製開栓補助具。
【請求項３】
前記キャップ挟持部外縁に複数個の指掛凹部を設けてなることを特徴とする請求項１乃至２記載の合成樹脂製開栓補助具。
【請求項４】
注出口付切妻屋根型液体紙容器の注出口側斜面板表面に請求項１乃至３記載の合成樹脂製開栓補助具の前記キャップ挟持部をキャップ外周面に当接して載置し、前記注出口付切妻屋根型液体紙容器と一体に熱収縮包装を施して固定した包装体。
【発明の詳細な説明】
【０００１】
【発明の属する技術分野】
本発明は、容器口部を形成する注出口のネジ式蓋の開蓋補助手段と、注出筒内の薄肉成型による開封部を持つ封鎖面部に突設した支持棹と連設するプルリングの牽引開封補助手段とを併せ持つ合成樹脂製開封補助具に関する。
【０００２】
【従来の技術】
従来からビン型容器また近年ではペットボトルや袋型容器口部のネジ式蓋の開口にあたって、口径の大きさによっては把持し難く、またその締め付け具合によって非常に開放し難いものとなるため、各種の開口補助具が発明あるいは考案され、市場化されている。また、缶容器の開封に用いられる引き上げ型指掛環いわゆるプルタブの操作にあたっては、指爪をプルタブと缶蓋との間に差し入れて引き上げる初期操作に反発抵抗が大きく指爪を痛めるため、この開封補助具も各種発明あるいは考案され、市場化されている。さらに、これらの機能を複合的に備えたオープナーも提案されている（例えば特許文献１参照。）。
【０００３】
【特許文献１】
特開２００１−１５８５００号公報
【０００４】
上記文献に記載されている発明に係る開栓具は、ペットボトルのネジ式キャップの開栓と、ＳＯＴ（ステイオンタブ）タイプ缶容器のプルタブ部の開蓋を行うための開栓具であって、開栓具本体に開口されたキャップ挿入用の開口部とその内周面に設けた少なくとも３個のキャップ把持のための把持用突起からなるキャップオープナーと、プルタブを引起こすためのプルタブ引起こし具と引起こされたプルタブを挟持するための挟持具とからなるプルタブオープナーからなることを特徴としている。キャップの開栓に関しては、開栓具本体に開口された開口部にキャップを挿入し、把持用突起がキャップに刻まれた溝に食い込むことにより開口操作を行うものであるが、把持用突起によるキャップの把持は予め設けられたキャップ挿入用の開口部への挿入と数箇所の点部分による把持となるため、キャップ口径の違うものに対応し難く、点部分での把持はキャップ成型時の寸法誤差等によっても不安定な把持となるものであった。さらにプルタブ引起こし具とプルタブ挟持具は、缶容器のプルタブ部の開蓋を行うための開栓具であって、ペットボトルや注出口付切妻屋根型液体紙容器口部のネジ式蓋に設けられた注出筒内栓のプルリングの開封すなわちプルリングを引っ張り上げる操作には適さないものであった。
【０００５】
前述したペットボトルや注出口付切妻屋根型液体紙容器においては、注出口部の口径が小さいためネジ式蓋部を把持し難く、廻動操作を行う際に力を集中させ難く、またその注出筒内栓のプルリングには手指を挿入すること自体が難しく牽引操作が著しく困難であるため、特に握力の弱い女性や高齢者あるいは手指に障害を持つ人にとって開栓および開封操作の行いにくいものであった。
【０００６】
【発明が解決しようとする課題】
そこで、本発明は、上記問題を解決するためになしたものであって、その目的とするところは、ペットボトルや注出口付切妻屋根型液体紙容器の注出口部を形成するネジ式蓋の廻動開栓操作およびその注出筒内の薄肉成型による開封部を持つ封鎖面部に突設した支持棹と連設するプルリングの牽引開封操作を補助するための合成樹脂製開栓補助具を提供する。
【０００７】
【課題を解決するための手段】
上記課題を解決するため、請求項１の発明は、注出筒と該注出筒内の薄肉成型による開封部を持つ封鎖面部に突設した支持棹と連設するプルリングを有し容器口部に取り付けられる注出部本体と、注出筒の外面に螺合されるキャップとからなる注出具を開栓する開栓補助具であって、キャップの外周面に当接し且つ挟持するＣ字状のキャップ挟持部と、該キャップ挟持部外縁の中央部に外方へ突出し前記プルリングに引っ掛けて前記封鎖面部を開封するための鉤状牽引具とを具有することを特徴とする合成樹脂製開栓補助具で、Ｃ字状のキャップ挟持部がキャップの外周面を挟持することで、キャップ外周口径を大きくするとともに把持し易い状態として廻動開栓操作を補助し、また鉤状牽引具がプルリングに引っ掛けられるとともにＣ字状挟持部を把持部として牽引開封操作を補助する。キャップ挟持部はＣ字状とすることで挟持部の径方向に対する寸法に自由度を持ち、口径寸法の異なるキャップにも使用できるだけでなく、寸法精度の許容範囲が大きいので生産性を高めることができる。
【０００８】
請求項２の発明は、前記キャップ挟持部内縁にエラストマー樹脂を一体に成形してまたは接合してなることを特徴とする請求項１記載の合成樹脂製開栓補助具で、Ｃ字状のキャップ挟持部内縁に摩擦係数の高いエラストマー樹脂を一体に成形してまたは接合することにより、キャップ挟持部内縁とキャップの外周面との間の摩擦抵抗を大きくして、さらに廻動操作にかける力を少なくして廻動開栓操作を補助する。
【０００９】
請求項３の発明は、前記キャップ挟持部外縁に複数個の指掛凹部を設けてなることを特徴とする請求項１乃至２記載の合成樹脂製開栓補助具で、キャップ挟持部外縁の外周面に複数個の指掛凹部を設けることにより、キャップ挟持部外縁と挟持および廻動操作を行う手指との間の摩擦抵抗を大きくして、さらに廻動操作にかける力を少なくして廻動開栓操作を補助する。
【００１０】
請求項４の発明は、注出口付切妻屋根型液体紙容器の注出口側斜面板表面に請求項１乃至３記載の合成樹脂製開栓補助具の前記キャップ挟持部をキャップ外周面に当接して載置し、前記注出口付切妻屋根型液体紙容器と一体に熱収縮包装を施して固定した包装体で、注出口付切妻屋根型液体紙容器製品と一体に本発明の合成樹脂製開栓補助具を熱収縮包装した包装体とすることにより、注出口付切妻屋根型液体紙容器の展示や販売および購入にあたって必ず注出口部の開栓ならびに開封操作補助具が付属しており、購入者が利便性を認知して購入することができるとともに、使用にあたって注出口付切妻屋根型液体紙容器の開栓ならびに開封操作が容易に行える。
【００１１】
【発明の実施の形態】
上記本発明について、図面等を用いて以下に詳述する。
図１（ａ）は本発明に係る合成樹脂製開栓補助具の一実施例の平面図。図１（ｂ）は同じく一実施例の側面図。図２は同じく一実施例を用いて注出口付切妻屋根型液体紙容器のネジ式蓋部の廻動開栓する状態を示す部分斜視図。図３は同じく一実施例を用いて注出口付切妻屋根型液体紙容器の注出筒内のプルリングを牽引開封する状態を示す説明図。図４は同じく一実施例を注出口付切妻屋根型液体紙容器のネジ式蓋部に当接載置し販売に供される状態を示す斜視図である。
【００１２】
図１（ａ）は本発明に係る合成樹脂製開栓補助具の一実施例の平面図、図１（ｂ）は同じく一実施例の側面図で、本発明に係る合成樹脂製開栓補助具Ｐは、一部を開口した外観Ｃ字状でキャップを挟持するための所定の厚みを有するキャップ挟持部外縁１と、該キャップ挟持部外縁１に内接して一体に成型されたキャップ挟持部内縁２と、前記キャップ挟持部外縁１の中央部から外方に突出して設けられた鉤状牽引具３とから構成され、さらに前記キャップ挟持部外縁１の外周面に複数個の指掛凹部４を設けてなるものである。
【００１３】
合成樹脂製開栓補助具Ｐのキャップ挟持具外縁１および鉤状牽引具３部分は、ポリプロピレンあるいはＡＢＳ等の汎用の硬質プラスチックを用いて射出成形により製造することができるが、図１（ａ）のようにキャップ挟持部内縁２を摩擦係数の高いエラストマー等の異種材料とするときは、二色成形により一体に成形することもできる。あるいは予めエラストマー等の材料を射出成形してキャップ挟持部内縁２を形成しキャップ挟持部外縁１の内面に接着剤による接合を行うか、図示は省略するが嵌合等の物理的接合を行うこともできる。
【００１４】
図２は本発明に係る合成樹脂製開栓補助具の一実施例を用いて注出口付切妻屋根型液体紙容器のネジ式蓋部の廻動開栓する状態を示す部分斜視図で、注出口付切妻屋根型液体紙容器Ｑの切妻屋根部に取り付けられた注出口のネジ式蓋部Ｓの外周面に合成樹脂製開栓補助具Ｐのキャップ挟持部内縁２の内周面を当接し、キャップ挟持部外縁１の外周部を手指にて把持し、矢印方向に廻動することにより前記ネジ式蓋部Ｓを開栓する。通常この種注出口付切妻屋根型液体紙容器Ｑの注出口ネジ式蓋部Ｓの蓋口径は２４ｍｍ程度以下と小さく、把持し廻動するという操作が困難なものであるが、本発明に係る合成樹脂製開栓補助具Ｐの外周面では口径を３３ｍｍ程度とすることで回転モーメントを増大して、把持し廻動する操作を容易にする。さらに前記キャップ挟持部内縁２がエラストマー等の摩擦係数の高い樹脂で形成されていることにより、前記ネジ式蓋部Ｓの外周面との間での摩擦抵抗を大きくして、廻動操作時の滑りによる力のロスを防ぐことができる。また、前記キャップ挟持部外縁１の外周面に設けられた複数個の指掛凹部４は、把持する手指との間での摩擦抵抗を大きくして、同様に廻動操作時の滑りによる力のロスを防ぐことができる。
【００１５】
図３は本発明に係る合成樹脂製開栓補助具の一実施例を用いて注出口付切妻屋根型液体紙容器の注出筒内のプルリングを牽引開封する状態を示す説明図で、注出口付切妻屋根型液体紙容器Ｑの切妻屋根部に取り付けられた注出口のネジ式蓋部Ｓの開栓後、注出筒部Ｔ内の薄肉成型による開封部を持つ封鎖面部Ｕに突設した支持棹と連設するプルリング部Ｖのリング端部に、前記注出筒部Ｔに挿入された合成樹脂製開封補助具Ｐの鉤状牽引具３の先端部を引っ掛け、前記合成樹脂性開封補助具Ｐのキャップ挟持部外縁１を把持して矢印方向に牽引すれば、前記注出筒部Ｔ内の薄肉成型による開封部が開封し、内容物の注出を行うことができる。前記鉤状牽引具３の先端部は、牽引に必要な強度や剛性を保持しつつ、注出筒部Ｔの内周面とプルリング部Ｖの端部とが形成する空隙に引っ掛けるために予め先細に設計されることが望ましい。なお前述の如くキャップ挟持部外縁１にはキャップ廻動操作の滑りによる力のロスを防止するため複数個の指掛凹部４が設けられており、牽引操作のために把持する際にも滑りによる力のロスを防ぐ働きがある。
【００１６】
図４は本発明に係る合成樹脂製開栓補助具の一実施例を注出口付切妻屋根型液体紙容器のネジ式蓋部に当接載置して販売に供される状態を示す斜視図で、注出口付切妻屋根型液体紙容器Ｑの切妻屋根部に設けられた注出口のネジ式蓋部Ｓの外周面に、合成樹脂製開栓補助具Ｐのキャップ挟持部内縁２の内周面を当接し載置したのち、図示は省略したが全体を熱収縮性フィルムによって被覆し、加熱収縮させて一体として包装された包装体Ｒの状態を示しており、展示および販売に供される。前記合成樹脂製開栓補助具Ｐのキャップ挟持部内縁２の内周面口径は、前記ネジ式蓋部Ｓの外周面口径よりやや小さく設計されており、前述の如くネジ式蓋部Ｓの外周面にキャップ挟持部内縁２の内周面を当接する際、前記ネジ式蓋部Ｓの外周面をくわえ込むように当接し、熱収縮包装工程等の移動搬送において脱落することが無い。
【００１７】
通常この種の注出口付切妻屋根型液体紙容器は、注出口部を正面として展示ならびに販売に供されるため、前述の如く合成樹脂製開栓補助具Ｐを注出口付切妻屋根型液体紙容器Ｑのネジ式蓋部Ｓに当接載置し全体を熱収縮フィルムにより一体に包装固定した包装体とすることで、購入者は利便性を認知し易く、かつ必ず本発明に係る合成樹脂製開栓補助具Ｐが付属しているので使用にあたって開栓ならびに開封を容易に行うことができ、他の開栓補助具を要することが無い。また合成樹脂製開栓補助具Ｐのキャップ挟持部内縁２の内周面が、注出口付切妻屋根型液体紙容器Ｑの注出口側切妻屋根部に設けられたネジ式蓋部Ｓの外周面に当接載置された構成であるので、製品の集合包装時にも隣り合う製品同士が影響せず整列性に優れている。
【００１８】
【発明の効果】
以上のように本発明の合成樹脂製開栓補助具は、ペットボトルや注出口付切妻屋根型液体紙容器の注出口部を形成するネジ式蓋部の廻動開栓操作ならびに、その注出筒内の薄肉成型による開封部を持つ封鎖面部に突設した支持棹と連設するプルリングの牽引開封操作を補助する機能を併せ持つ点で優れているばかりでなく、前記ネジ式蓋部の廻動開栓操作においては、ネジ式蓋部外周面の小さな口径が、キャップ挟持部外縁およびキャップ挟持部内縁の厚みにより増大して、手指による把持を容易にするとともに回転モーメントを増大させて小さな力による廻動操作を可能とし、またキャップ挟持部内縁をエラストマーとすることでネジ式蓋部外周面とキャップ挟持部内縁の内周面との摩擦抵抗を大きくし、さらにキャップ挟持部外縁には複数個の指掛凹部を形成してキャップ挟持部外縁の外周面と把持する手指との摩擦抵抗を大きくして、小さな力による廻動操作を可能としている。
【００１９】
キャップ挟持部外縁の中央部に外方へ突出しプルリングに引っ掛けて封鎖面部を開封するための鉤状牽引具の先端部は、牽引に必要な強度や剛性を保持しつつ、注出筒部の内周面とプルリング部の端部とが形成する空隙に引っ掛けるために予め先細に設計されているため注出筒部への挿入が容易で、従来手指の挿入による困難な操作を解消した。また把持部としてキャップ挟持部外縁は十分な大きさを維持しており、かつ該キャップ挟持部外縁の外周部に複数個設けられた指掛凹部が摩擦抵抗を大きくして、牽引開封操作を容易なものとしている。
【００２０】
また本発明に係る合成樹脂製開栓補助具は、注出口付切妻屋根型液体紙容器の注出口側のネジ式蓋部に当接し、かつ切妻屋根面に載置されるように設計されているのでコンパクトであり、製造にあたって樹脂使用量を抑えることができる。前述の如く合成樹脂製開栓補助具を注出口付切妻屋根型液体紙容器のネジ式蓋部に当接載置し全体を熱収縮フィルムにより一体に包装固定した包装体とすることで、購入者は利便性を認知し易く、かつ必ず本発明に係る合成樹脂製開栓補助具が付属しているので使用にあたって開栓ならびに開封を容易に行うことができ、他の開栓補助具を要することが無い。
【図面の簡単な説明】
【図１】（ａ）本発明に係る合成樹脂製開栓補助具の一実施例の平面図。
（ｂ）同じく一実施例の側面図。
【図２】同じく一実施例を用いて注出口付切妻屋根型液体紙容器のネジ式蓋部の廻動開栓する状態を示す部分斜視図。
【図３】同じく一実施例を用いて注出口付切妻屋根型液体紙容器の注出筒内のプルリングを牽引開封する状態を示す説明図。
【図４】同じく一実施例を注出口付切妻屋根型液体紙容器のネジ式蓋部に当接し載置して販売に供される状態を示す斜視図。
【符号の説明】
Ｐ            合成樹脂製開栓補助具
Ｑ            注出口付切妻屋根型液体紙容器
Ｒ            注出口付切妻屋根型液体紙容器に合成樹脂製開栓補助具を載置し熱収縮包装を施して固定した包装体
Ｓ            注出口付切妻屋根型液体紙容器の注出口のネジ式蓋部
Ｔ            注出口付切妻屋根型液体紙容器の注出筒部
Ｕ            注出口付切妻屋根型液体紙容器の注出筒内の薄肉成型による開封部を持つ封鎖面部
Ｖ            注出口付切妻屋根型液体紙容器の注出筒内の薄肉成型による開封部を持つ封鎖面部に突設した支持棹と連設するプルリング部
１            キャップ挟持部外縁
２            キャップ挟持部内縁
３            鉤状牽引具
４            指掛凹部
【図１】
2004338763.tif 000003
【図２】
2004338763.tif 000004
【図３】
2004338763.tif 000005
【図４】
2004338763.tif 000006